(57)【特許請求の範囲】
【請求項１】
夫々に属性が付与された複数の部品を、グループとして同一画面に配置して表示する表示装置において、
前記グループの複数組の情報を保持するグループ情報保持手段と、
各グループにおける表示順位を表すオーダーと、これに対応する部品のＩＤを定義したテーブルに基づいて生成されるグループコントロール情報を保持するグループコントロール情報保持手段と、
表示グループの変更指令に基づいて、前記グループ情報保持手段及び前記グループコントロール情報保持手段を参照し、表示する部品の属性を変更するグループコントロール部と、
を備え、
前記グループコントロール部は、前記グループ変更指令に基づいて、前記表示装置に現在配置されている部品のＩＤが前記グループコントロール情報保持手段のテーブルに登録されているかを調べ、ＩＤが一致した時に前記グループ情報保持手段を参照し、一致した部品の属性を指定されたグループにおける属性に変更することを特徴とする表示装置。
【発明の詳細な説明】
【技術分野】
【０００１】
本発明は、夫々がチャンネル属性を付与された複数の部品を、同一画面に配置して表示する表示装置、特に２次元表示装置を持つペーパレス記録計または汎用的な表示装置の画面レイアウト機能の改善に関するものである。
【背景技術】
【０００２】
図１０は、従来の表示装置の構成例を示す機能ブロック図である。内部バス１にはＣＰＵ２，表示部３、部品表示処理部４、記憶部５が接続されている。ＣＰＵ２は、外部機器や内部機器と通信して表示部品に関する指令を部品表示処理部４に与える。記憶部５は、表示部の属性情報を保持する属性情報保持手段５１及びグループ情報保持手段５２を備えている。
【０００３】
画面レイアウト機能とは、ユーザが画面上にディジタル値部品やトレンド波形といった部品を配置でき、その部品のサイズ、色、チャネル番号や、文字の大きさ等の属性を設定して、自由なレイアウトの表示を見ることができる機能である。
【０００４】
従来の画面レイアウト機能は、ディジタル値部品やトレンド波形等の部品をユーザが自由に画面上に配置し、その部品の文字の大きさや、チャネル番号等の属性を設定することができる。
【０００５】
従来技術では、部品表示処理部４が記憶部５にある属性情報保持手段５１の内容を参照し、編集された画面表示を作成するという手順となっている。具体的な画面作成の操作例を説明する。図１１は、編集画面と表示画面の対応を示す画面例である。
【０００６】
工場Ａがあり、その工場内に恒温槽が４個あると仮定する。まず、編集用の画面に、ディジタル値部品を配置する。そして配置した部品に属性の１つであるチャネル番号を設定する。編集を終えた画面を図１１（Ａ）に示す。この編集に基づく表示画面は、図１１（Ｂ）のようになる。
【０００７】
従来技術には、このような画面レイアウト機能とは別に、グループ変更という機能がある。これは決まったレイアウトのトレンド画面や、ディジタル値等の画面のチャネルを、別途設定してあるグループのチャネルに切り替えて表示する機能である。
【０００８】
図１２は、従来のグループ変更機能による表示画面の遷移例である。図１２（Ａ）に示す、現在の表示画面のディジタル値部品のチャンネル１〜４のグループを、図１２（Ｂ）に示す、チャンネル５〜８に同一の画面レイアウトで切り替えてグループ変更する。
【０００９】
【特許文献１】特開平１０−１６１６０５号公報
【発明の開示】
【発明が解決しようとする課題】
【００１０】
従来技術によるグループ変更の手法では、次のような問題がある。
（１）従来の画面レイアウト機能では、ディジタル値部品やバーグラフ部品は、グループ変更をしてもグループ情報とは関係のない部品なので、その属性は何も変化しない。
【００１１】
（２）従来の技術を使い、画面レイアウト機能でグループ変更しているように見せるためには、編集用画面を多く使い全てのチャネルを設定していかなければならない。例えば工場がＡ〜Ｃまであり、それぞれの工場に恒温槽が４個ずつあると仮定する。各工場の情報を同じレイアウトで表示したいので、１つの画面につき１つの工場の恒温槽の温度を示すディジタル値を４個ずつ配置する。
【００１２】
図１３は、編集画面に基づく表示画面のグループ変更の遷移例である。図１３（Ａ）〜図１３（Ｃ）は、工場Ａ〜Ｃのチャンネル属性に基づくディジタル部品の表示画面の遷移を示す。図１３（Ｄ）〜図１３（Ｆ）は、これらの画面を表示させるための編集画面の遷移を示す。
【００１３】
このように、従来の画面レイアウト機能で画面切り替えをすることで、チャネル属性を持つ部品のチャネルを変更するグループ変更動作を実現できるが、編集用の画面を多く使ってしまう問題が発生する。
【００１４】
（４）また編集用の画面を多く使うと、全ての画面に共通の部品を１個追加したい時でも、複数の画面を編集しなければならない。さらに編集する画面が増えることによってチャネルなどの属性設定に労力がかかるという問題がある。
【００１５】
本発明は上述した問題点を解決するためになされたものであり、編集用の画面を複数使用することなしに、表示部品の属性であるチャネル番号の変更ができる表示装置の実現を目的としている。
【課題を解決するための手段】
【００１６】
このような課題を達成するために、本発明は次の通りの構成になっている。
（１）夫々に属性が付与された複数の部品を、グループとして同一画面に配置して表示する表示装置において、
前記グループの複数組の情報を保持するグループ情報保持手段と、
各グループにおける表示順位を表すオーダーと、これに対応する部品のＩＤを定義したテーブルに基づいて生成されるグループコントロール情報を保持するグループコントロール情報保持手段と、
表示グループの変更指令に基づいて、前記グループ情報保持手段及び前記グループコントロール情報保持手段を参照し、表示する部品の属性を変更するグループコントロール部と、
を備え、
前記グループコントロール部は、前記グループ変更指令に基づいて、前記表示装置に現在配置されている部品のＩＤが前記グループコントロール情報保持手段のテーブルに登録されているかを調べ、ＩＤが一致した時に前記グループ情報保持手段を参照し、一致した部品の属性を指定されたグループにおける属性に変更することを特徴とする表示装置。
【発明の効果】
【００１９】
本発明の構成によれば、次のような効果を期待することができる。
（１）今までグループ変更できなかったチャネル属性を持つディジタル値部品やバーグラフ部品が、グループ変更に伴いチャネル属性を変更することができる。
【００２０】
（２）これにより、１個の編集用画面で複数のグループのディジタル値等をレイアウトの制約を受けることなく、自由に表現することができる。
【００２１】
（３）編集する画面が減ることで、属性変更、後で細かいレイアウト変更をする時の労力を低減することができる。また、メモリの節約にも貢献することができる。
【発明を実施するための最良の形態】
【００２２】
以下、本発明を図面により詳細に説明する。図１は、本発明を適用した装置の一実施形態を示す機能ブロック図である。図１０で説明した従来の表示装置と同一要素には同一符号を付して説明を省略する。
【００２３】
従来装置に追加される本発明の構成上の特徴部は、内部バス１に接続されるグループコントロール部１００並びにこのグループコントロール部１００が参照する、記憶部５内に設けられたグループコントロール情報保持手段２００である。グループコントロール部１００は、既存の属性情報保持手段５１、グループ情報保持手段５２及び追加されたグループコントロール情報保持手段２００を参照する。
【００２４】
図２は、グループコントロール部１００の動作を説明する機能ブロック図である。夫々が複数のチャンネル属性を設定された複数組のグループ１，２，３，…Ｎのグループ情報は、グループ情報保持手段５２に保持されている。
【００２５】
グループコントロール情報保持手段２００には、各グループにおける表示順位を表すオーダーと、これに対応する部品ＩＤを定義して生成されるグループコントロール情報が設定されて保持されている。
【００２６】
グループコントロール部１００は、チャンネル属性変更手段１０１を備え、表示グループの変更指令に基づいて、属性情報保持手段５１、グループ情報保持手段５２及びグループコントロール情報保持手段２００を参照して表示する部品のチャンネル属性を変更し、表示部３の画面に表示されるチャンネル番号を変更する。
【００２７】
以下、チャンネル属性の変更操作の手順を図面により説明する。図３は、ディジタル部品を配置する、従来機能による変更前の編集画面例である。４分割された画面に、チャンネル１〜チャンネル４に設定されたディジタル部品ＩＤ：０１〜ＩＤ：０４を配置している。
【００２８】
図４は、複数組のグループと各グループのチャンネル属性の関係を示すグループ情報の構成例である。各グループは、表示順位を表すチャンネルのオーダー１，２，３，４が定義されている。
【００２９】
図５は、ディジタル部品を対象としたグループコントロール情報の構成例である。各グループのオーダー１，２，３，４に対応する表示部品のＩＤ０１〜ＩＤ０４が定義されている。
【００３０】
本発明の特徴は、従来の画面レイアウト機能の問題を解決するために、グループ変更をした時に、チャネルの属性を持つ部品がグループ変更に伴いチャネルが自動的に変更される機能を備える点にある。
【００３１】
従来手法によるグループ管理では、チャネル番号を登録しておき、グループ変更を行えばディジタル値やトレンド画面でチャネルが自動的に変わって表示されるという機能である。この動作を画面レイアウト機能で実現するために、本発明ではグループコントロールという機能を採用している。
【００３２】
本発明でも、図５に示す編集画面のように、通常は部品表示処理部４が記憶部５にある属性情報保持手段５１の内容を参照し、編集された画面表示を作成するという動作となっている。
【００３３】
従来動作と異なるのは、グループ変更の命令ＣＰＵ２から来た時である。グループ変更の命令が来ると、部品表示処理部４は、グループコントロール部１００にグループの変更指令を伝える。
【００３４】
グループコントロール部１００は、記憶部５にあるグループコントロール情報保持手段２００を参照し、配置されている部品のＩＤがグループコントロールに登録されているかを調べていく。
【００３５】
ＩＤが一致した時は、グループコントロール部１００のチャンネル属性変更手段１０１は、記憶部５にあるグループ情報保持手段５２を参照し、一致した部品のチャネル番号属性を指定されたグループのチャネル番号に変更する。この変更処理後、部品表示処理部４が記憶部５にある属性情報保持手段５１を参照し、編集された画面表示を作成する。
【００３６】
以下、具体的な操作手順の例を図面により説明する。図６は、本発明に基づくグループ変更によるディジタル部品の表示画面の遷移例である。工場がＡ〜Ｃまであり、夫々の工場に恒温槽が４個ずつあると仮定する。ここでは画面を切り替えてＡ〜Ｄ、Ｅ〜Ｈ、Ｉ〜Ｌ全ての恒温槽を表示するとする。
【００３７】
まず、図３で説明した編集用の画面を用いて、図６（Ａ）のように工場Ａのチャンネル１〜チャンネル４に恒温槽Ａ〜Ｃに関するディジタル値部品を配置する。部品には自動的にユニークなＩＤが割り振られるので、そのＩＤをグループコントロールに登録する。
【００３８】
具体的には、図５に示されるように、ＩＤ：０１の部品はグループの１番目に登録されているチャネルを表示するように動作してもらいたいので、オーダー１のＩＤに登録する。同様に、ＩＤ：０２の部品はオーダー２に、ＩＤ：０３の部品はオーダー３に、ＩＤ：０４の部品はオーダー４に登録する。
【００３９】
このようなグループコントロールの設定を行うことにより、工場Ａ→工場Ｂ→工場Ｃへのグループ変更を実行すると、グループコントロール部１００が自動的に部品のチャネル番号の属性を変更し、図６（Ａ）、（Ｂ）、（Ｃ）に示すように、編集したレイアウトでチャネル番号だけ変わった表示となる。
【００４０】
図７は、本発明の他の実施形態を示すものであり、本発明に基づくグループ変更によるバーグラフ部品の表示画面の遷移例である。図６の実施形態との差は、各恒温槽の温度を表すディジタル値部品が、バーグラフ部品の表示となっている点である。
【００４１】
図８は、図３に対応するバーグラフを表示部品とする編集画面である。図９は、図５と対応するバーグラフを表示部品とするグループコントロール情報の例である。図７の動作は、ディジタル値部品を対象とする図６の動作と基本的に同一である。
【００４２】
以上説明したように、本発明により、今までグループ変更できなかったチャネル属性を持つディジタル値やバーグラフの部品を、グループ変更に伴いチャネル属性を自由に変更することができる。これにより、１つの編集用画面で複数のグループのディジタル値等を表現できるようになり、表示装置の画面レイアウト機能を大幅に改善することが可能となる。
【図面の簡単な説明】
【００４３】
【図１】本発明を適用した表示装置の一実施形態を示す機能ブロック図である。
【図２】グループコントロール部の動作を説明する機能ブロック図である。
【図３】ディジタル部品を配置する編集画面例である。
【図４】グループと各グループのチャンネル属性の関係を示すグループ情報の構成例である。
【図５】ディジタル部品を対象としたグループコントロール情報の構成例である。
【図６】本発明に基づくグループ変更によるディジタル部品の表示画面の遷移例である。
【図７】本発明に基づくグループ変更によるバーグラフ部品の表示画面の遷移例である。
【図８】バーグラフ部品を配置する編集画面例である。
【図９】バーグラフ部品を対象としたグループコントロール情報の構成例である。
【図１０】従来の表示装置の構成例を示す機能ブロック図である。
【図１１】編集画面と表示画面の対応を示す画面例である。
【図１２】グループ変更機能による表示画面の遷移例である。
【図１３】編集画面に基づく表示画面のグループ変更の遷移例である。
【符号の説明】
【００４４】
１  内部バス
２  ＣＰＵ
３  表示部
４  部品表示処理部
５  記憶部
５１  属性情報保持手段
５２  グループ情報保持手段
１００  グループコントロール部
２００  グループコントロール情報保持手段
【図１】
0005257584.tif 000002
【図２】
0005257584.tif 000003
【図３】
0005257584.tif 000004
【図４】
0005257584.tif 000005
【図５】
0005257584.tif 000006
【図６】
0005257584.tif 000007
【図８】
0005257584.tif 000008
【図９】
0005257584.tif 000009
【図１０】
0005257584.tif 000010
【図１１】
0005257584.tif 000011
【図１２】
0005257584.tif 000012
【図１３】
0005257584.tif 000013
【図７】
0005257584.tif 000014